(57)【要約】【課題】無選別古紙を原料とする古紙パルプの製造に際して、容易で且つ安定した夾雑物管理を行えるようにする。【解決手段】無選別古紙を原料とする古紙パルプの製造ラインで、０．１２ｍｍ以下のスリット幅または孔径を有するスクリーン４を用いて繊維懸濁液から夾雑物を分離除去するとともに、スクリーン４のアクセプト側に自動夾雑物測定器Ｍを設け、その測定結果が目標値以下となるように、当該スクリーン４のリジェクト率を１０％以上の領域で変更するようにする。【選択図】図１
2004091978.tif 000002
【特許請求の範囲】
【請求項１】
無選別古紙を原料とする古紙パルプの製造ラインで、０．１２ｍｍ以下のスリット幅または孔径を有するスクリーンを用いて繊維懸濁液から夾雑物を分離除去するとともに、
前記スクリーンのアクセプト側またはリジェクト側に自動夾雑物測定器を設け、その測定結果が目標値以下となるように、前記スクリーンのリジェクト率を１０％以上の領域で変更する、
ことを特徴とする古紙パルプの製造における夾雑物管理方法。
【請求項２】
請求項１記載の夾雑物管理を行い、前記スクリーンのアクセプト物に基づき古紙パルプを製造する一方で、前記スクリーンのリジェクト物を、アクセプト物とは別のラインで更に夾雑物の除去処理を行って古紙パルプを製造し、両古紙パルプを製造物として得ることを特徴とする古紙パルプの製造方法。
【請求項３】
請求項２記載の方法により製造された古紙パルプを使用して製造されたことを特徴とする印刷用紙。
【発明の詳細な説明】
【０００１】
【発明の属する技術分野】
本発明は、無選別古紙を原料とする古紙パルプの製造における夾雑物管理方法、古紙パルプの製造方法、ならびに印刷用紙に関する。
【０００２】
【従来の技術】
古紙パルプの製造法では、新聞紙やチラシ等のように多種類の夾雑物が出にくい古紙を用いて製造するのが一般的であり、雑誌や書物等の古紙はほとんど利用されていない。
【０００３】
これは、雑誌や書物等の古紙には、ホットメルト等の背糊が残存しており、また場合によっては付録としてコンパクトディスク（以下、単にＣＤともいう。）等がページ間に挟まれており、これらが機械力による離解処理や加熱処理やアルカリ処理により微細化し、その除去が極めて困難であり、しかも、かかる夾雑物の除去が不十分であると、▲１▼パルプ品質の劣化をもたらす、▲２▼再生紙の抄紙工程や塗工機による塗布工程において、透明異物・粘着異物等の欠陥により断紙や格外品の発生を引き起こす、▲３▼製造される再生紙はインキ抜けや断紙等の印刷障害を引き起こすために印刷用途に用いることができない、といった問題点があるためである。
【０００４】
資源の有効利用という観点からは、雑誌や書物等の古紙も利用するのが望ましいことはいうまでもない。特に、古紙選別の手間を省くためにも、雑誌や書物等の古紙を新聞紙やチラシ等の古紙と選別することなく利用できることが望まれている。
【０００５】
かかる背景のもと、従来、様々な観点から解決策が提案されている。例えば特開２００２−２０９８７号には、スクリーニング工程以前に自動夾雑物測定器を設け、その測定値と予め定めたリジェクト率及び夾雑物除去率の関係とにより最適リジェクト率を求め、この最適リジェクト率に基づいてスクリーニング工程におけるリジェクト率をフィードフォワード制御により自動調整し、糊等の粘着性異物を効率良く除去するための方法（以下、先行例という）が提案されている。
【０００６】
【発明が解決しようとする課題】
しかしながら、無選別古紙はその夾雑物の種類及び量が著しく多様であり、しかもこれが相互独立に且つ短時間で変動するため、これに伴ってリジェクト率と夾雑物除去率との関係も経時的に変動する。よって、上記先行例の方法ではリジェクト率と夾雑物除去率との関係を頻繁に見直すという極めて煩雑かつ現実的でない処理を行わない限り、夾雑物を効率良く除去できないという問題点があった。
【０００７】
そこで、本発明の主たる課題は、無選別古紙を原料とする古紙パルプの製造に際して、容易で且つ安定した夾雑物管理を行えるようにすることにある。他の課題は、古紙パルプおよび再生紙の高品質化を図ることにある。
【０００８】
【課題を解決するための手段】
上記課題を解決した本発明は、次記のとおりである。
＜請求項１記載の発明＞
無選別古紙を原料とする古紙パルプの製造ラインで、０．１２ｍｍ以下のスリット幅または孔径を有するスクリーンを用いて繊維懸濁液から夾雑物を分離除去するとともに、
前記スクリーンのアクセプト側またはリジェクト側に自動夾雑物測定器を設け、その測定結果が目標値以下となるように、前記スクリーンのリジェクト率を１０％以上の領域で変更する、
ことを特徴とする古紙パルプの製造における夾雑物管理方法。
【０００９】
＜請求項２記載の発明＞
請求項１記載の夾雑物管理を行い、前記スクリーンのアクセプト物に基づき古紙パルプを製造する一方で、前記スクリーンのリジェクト物を、アクセプト物とは別のラインで更に夾雑物の除去処理を行って古紙パルプを製造し、両古紙パルプを製造物として得ることを特徴とする古紙パルプの製造方法。
【００１０】
＜請求項３記載の発明＞
請求項２記載の方法により製造された古紙パルプを使用して製造されたことを特徴とする印刷用紙。
【００１１】
（作用効果）
上記のように本発明は、スクリーンのアクセプト側またはリジェクト側に設けた自動夾雑物測定器の測定結果をフィードバックし、測定結果が目標値以下となるようにスクリーンのリジェクト率を変更することを基本とするものである。よって、上記先行例のような問題点は実質的に存在せず、無選別古紙の夾雑物種類および量の多様性、経時的変動性に常に対応することが可能である。
【００１２】
しかも本発明はそれだけではない。すなわち、リジェクト率を変更するスクリーンは０．１２ｍｍ以下の非常に微小なスリット幅または孔径を有するものであり、且つそのリジェクト率は１０％以上の高い範囲で変更される。よって、離解処理やアルカリソーキング処理等の前工程により微細化されたホットメルト接着剤等の微細夾雑物であっても分離除去を確実に行える。またこのようにリジェクト率を高く設定すると、収率低下が懸念されるが、本発明では単にリジェクト率が高く設定されるのとは異なり、夾雑物測定結果（すなわち、スクリーンアクセプト物の夾雑物含有量）が目標値以下となるようにリジェクト率がフィードバックにより変更されるから、収率の低下は必要最小限に抑えられる。
【００１３】
特に請求項２記載の方法によれば、スクリーンのアクセプト物に基づき古紙パルプを製造する一方で、スクリーンのリジェクト物を、アクセプト物とは別のラインで更に適切な夾雑物除去処理を行って古紙パルプを製造し、両古紙パルプを製造物として得るため、上記のようにリジェクト率を高く設定したことによる収率低下の問題を根本的に解消できる。
【００１４】
そして、かかる夾雑物管理方法を利用すれば、無選別古紙を原料としても、従来より夾雑物の少ない古紙パルプを製造でき、更にこれを用いれば印刷用紙となりうる高品質再生紙を製造できるようになる。
【００１５】
なお、本明細書において無選別古紙という場合は、いわゆる雑誌のみからなる雑誌古紙のほか、新聞紙、チラシ、ピン付き雑誌、背糊付き雑誌、ビニール貼り雑誌、ＣＤ入り雑誌等が混在したものを含むものとする。
【００１６】
【発明の実施の形態】
以下、本発明の実施の形態を詳説する。
図１は、本発明に係る再生紙製造フローを示している。本発明では、新聞紙、チラシのほか、雑誌古紙、書物等が混在した無選別古紙が使用される。原料古紙は、無選別のまま先ずパルパー等の機械攪拌式離解装置１に投入され、水等の溶解液中で離解され、繊維懸濁液とされる（離解工程）。
【００１７】
離解処理においては、水酸化ナトリウムや珪酸ナトリウム等のアルカリ剤を主体とする脱墨薬品（通常は界面活性剤のほか、珪酸ソーダ及び炭酸ソーダの少なくとも一方を含む緩衝材等を加える）を懸濁液に添加しアルカリソーキングを行うことができる。また、離解処理は、同種の又は異種の離解装置（高濃度パルパーと低濃度パルパーとの組合せ等）による複数段処理とすることもできる。
【００１８】
離解工程から得られた懸濁液は、次に夾雑物除去工程に移され、必要に応じて補助離解装置によって機械攪拌力により懸濁液中の未離解パルプ繊維が離解されるとともに夾雑物が実質的に微細化されずに分離除去され、また必要に応じて比重差分離装置（所謂クリーナー）によりＣＤ砕片やステープル等の除去が行われた後、スクリーニング装置４により夾雑物が分離除去される（粗選工程）。このスクリーニングには、ホールスクリーンやスリットスクリーンを用いることができる。また必要に応じて複数段、複数種のスクリーンを使用したスクリーニングを採用できる。
【００１９】
スクリーニングを経た懸濁液は、フローテーション工程５による脱墨処理、漂白処理１０等の後処理工程Ｐを経て製品パルプとなる。後処理工程は、より詳細にはフローテーション工程５、比重差分離工程、スクリーニングによるインキ・夾雑物の分離除去工程、脱水装置による脱水工程、機械的攪拌によりインキ・夾雑物を微細化し且つ懸濁液中に分散させる分散処理工程（所謂ニーダーまたはディスパーザーを使用できる）、過酸化水素等の漂白薬品の添加による漂白処理工程１０、残留するインキおよび夾雑物を更に分離除去するポストフローテーション工程、脱水処理工程および貯蔵処理工程等（これらの処理は適宜取捨選択できる）を順に行うものとすることができる。製品パルプはそのままペーパーマシン等の仕向け先に供給できる。
【００２０】
（本発明のポイント）
本発明では、かかる製造ラインにおいて、０．１２ｍｍ以下、特に０．０５〜０．１２ｍｍのスリット幅または孔径を有するスクリーン４を用いて繊維懸濁液から夾雑物を分離除去する。スリット幅等が０．１２ｍｍを超えると、夾雑物除去効率が低下するという問題点がある。また、スリット幅等が０．０５ｍｍ未満となると繊維も通過しにくくなり負荷が増大してしまうため好ましくない。この構成は、図示のように離解処理１と最初のフローテーション処理５との間にあるスクリーン４とするのが好ましいが、これとともに又はこれに代えて他のスクリーンで採用することもできる。
【００２１】
さらに本発明では、図示のようにスクリーンのアクセプト側（または後述するようにリジェクト側であっても良い）に自動夾雑物測定器Ｍを設ける。自動夾雑物測定器Ｍとしては、夾雑物の分布、すなわち夾雑物のサイズ（粒径等）および各サイズの個数をオンライン測定するものが用いられる。そして、その測定結果は図示しない制御装置に送信される。制御装置は、測定結果が目標値以下となるように、当該スクリーン４の流量制御を介してリジェクト率を１０％以上の領域で、特に１０〜５０％の範囲で自動制御する。リジェクト率が１０％未満では微細夾雑物を除去するのが困難となり、５０％を超えると収率が極端に悪化する（ただしこの収率の問題は後述の方法により回避することができる）この目標値は適宜設定することができ、例えば最終的な製品古紙パルプにおける夾雑物含有量の目標値（最終目標値）としたり、最終目標値から、当該スクリーン４よりも下流側の夾雑物除去装置による夾雑物除去量等を差し引いた値とすることもできる。またこれらの各値には許容幅をもたせることができる。
【００２２】
そして、このように０．１２ｍｍ以下の非常に微小なスリット幅または孔径を有するスクリーン４による分離と、スクリーン４のリジェクト率の自動フィードバック制御とを組み合わせることによって、前述のとおり、先行例のような問題点は実質的に存在せず、無選別古紙の夾雑物種類および量の多様性、経時的変動性に常に対応した制御が可能となるとともに、収率低下を最小限に抑えながら、微細化されたホットメルト接着剤等の微細夾雑物の分離除去を確実に行えるようになる。
【００２３】
特に図示の実施形態では、かかる夾雑物管理を行い、スクリーン４のアクセプト物に基づき古紙パルプを製造する一方で、スクリーン４のリジェクト物を、アクセプト物とは別のラインで更に夾雑物の除去処理Ｓを行って古紙パルプを製造し、両古紙パルプを製造物として得るように構成してある。かかる構成を採ることにより、微小なスリット等を有するスクリーン４と高リジェクト率との組合せによる収率低下の問題を根本的に解決できる。このスクリーンリジェクト物からの夾雑物除去処理Ｓにおいては、例えばスクリーニング、比重差選別（所謂クリーナーを使用できる）、機械的攪拌によるインキ・夾雑物の微細化及びその懸濁液中への分散を行う分散処理（所謂ニーダーまたはディスパーザーを使用できる）、パルプ洗浄機による洗浄等を適宜組み合わせて、特に好ましくはこの順に行うことができる。
【００２４】
かくして無選別古紙を原料としても、従来より夾雑物の少ない古紙パルプを製造できる。また、この古紙パルプは抄紙原料中に高配合しても、印刷用紙、特に新聞・雑誌等の各種出版用紙となりうる高品質再生紙を製造できる。
【００２５】
（その他）
（イ）本発明でいう「リジェクト率の変更」には、上記例のような自動制御の他、自動夾雑物測定器の数値を管理し、適宜（すなわち非自動で）リジェクト率の設定を変えることも含まれる。
【００２６】
（ロ）上記実施形態では、自動夾雑物測定器がスクリーン４のアクセプト側に設置されているが、これに代えてスクリーン４のリジェクト側に設置することもできる。
【００２７】
【実施例】
背糊付雑誌古紙を含む無選別古紙を用い、前述の図１に示す処理法による古紙パルプの製造、ならびにその古紙パルプを用いた再生紙の製造を、各種条件をスライドさせて行い、スクリーニング処理４後の熱溶融性夾雑物の残存レベル、収率および再生紙の印刷用紙適性を三段階評価した。
【００２８】
各例の処理条件および評価結果を表１に示す。
【表１】
2004091978.tif 000003
【００２９】
【発明の効果】
以上のとおり、本発明によれば、無選別古紙を原料とする古紙パルプの製造に際して、容易で且つ安定した夾雑物管理を行えるようになり、もって品質の安定化、再生紙への高配合を図ることができる。
【図面の簡単な説明】
【図１】実施の形態のフロー図である。
【符号の説明】
１…離解装置、４…スクリーン装置、５…フローテーター、１０…漂白処理装置、Ｍ…自動夾雑物測定器、Ｓ…夾雑物除去工程。
【図１】
2004091978.tif 000004